(57)【要約】【課題】燃料電池システムの設置時やメンテナンス時に起動させて発電状態を確認するのに必要な時間を短縮し、設置やメンテナンスの作業性を向上させる燃料電池システムを実現する。【解決手段】燃料電池システムの設置時やメンテナンス時の起動時には、通常運転時の起動に対して水供給器３からの水供給開始後に原料供給器２からの原料の流量を通常運転時より増加させ、燃焼器６の燃焼量を増加により改質器１の昇温速度を速くすることで改質器１の起動時間を短くし、燃料電池システムの起動時間を短縮させる。【選択図】図１
2016177919.tif 000002
【特許請求の範囲】
【請求項１】
炭化水素を含む原料を水蒸気改質して水素含有ガスを生成する改質器と、前記改質器に原料を供給する原料供給器と、前記改質器に水を供給する水供給器と、酸化剤を供給する酸化剤供給装置と、前記改質器により生成された水素含有ガス及び前記酸化剤供給装置により供給された酸化剤を用いて発電する燃料電池と、前記改質器を経由した前記原料及び水素含有ガスの少なくとも一方または前記燃料電池で未利用の水素含有ガスを含むオフガスを燃焼して前記改質器を加熱する燃焼器と、前記燃焼器に燃焼用空気を供給する燃焼用空気供給器と、前記改質器の温度を検知する改質器温度検知器と、制御器と、を備える燃料電池システムであって、
通常運転用の運転モードである通常運転モードと、前記燃料電池システムの設置後の最初の機器動作確認用の運転モードである試運転モードもしくはメンテナンス後の機器動作確認用の運転モードであるメンテナンスモードと、を有し、
前記制御器は、前記試運転モードもしくは前記メンテナンスモードでの起動時には、前記改質器への水供給を開始した後に、前記改質器に供給する原料流量を前記通常運転モードの場合に比べて増加させる、燃料電池システム。
【請求項２】
前記制御器は、前記通常運転モードでの起動時には、前記改質器の温度が予め設定される第１温度以上になると前記燃料電池への前記水素含有ガスの供給を開始し、前記試運転モードもしくは前記メンテナンスモードでの起動時には、前記改質器の温度が前記第１温度よりも低い予め設定される第２温度以上になると前記燃料電池への前記水素含有ガスの供給を開始する、請求項１に記載の燃料電池システム。
【請求項３】
前記制御器は、前記試運転モードもしくは前記メンテナンスモードでの起動時において、前記改質器に供給する原料流量を前記通常運転モードの場合に比べて増加させた後に、前記改質器の温度が予め設定される第３温度以上となった場合または前記燃焼器の燃焼開始から所定の第１時間経過した場合には、前記改質器に供給する原料流量を減少させる、請求項１または２に記載の燃料電池システム。
【請求項４】
前記制御器は、前記試運転モードもしくは前記メンテナンスモードでの起動時には、前記通常運転モードでの起動時に対して前記改質器への水を減少させて供給する、請求項１から３のいずれか１項に記載の燃料電池システム。
【請求項５】
前記改質器により生成された水素含有ガス中の一酸化炭素を低減するＣＯ低減器と、前記ＣＯ低減器の温度を検知するＣＯ低減器温度検知器と、をさらに備え、
前記制御器は、前記試運転モードもしくは前記メンテナンスモードでの起動時において、前記ＣＯ低減器の温度が第４温度以上になった場合又は前記燃焼器の燃焼開始から第２時間経過した場合には、前記改質器への水の流量を増やすよう制御する、請求項４に記載の燃料電池システム。
【請求項６】
前記改質器により生成された水素含有ガス中の一酸化炭素を酸化反応により低減する選択酸化器と、前記選択酸化器に酸素含有ガスを供給する酸素含有ガス供給器と、をさらに備え、
前記制御器は、前記試運転モードもしくは前記メンテナンスモードでの起動時には、前記通常運転モードでの起動時に対して前記選択酸化器へ酸素含有ガスを増やして供給する、請求項１から５のいずれか１項に記載の燃料電池システム。
【請求項７】
前記選択酸化器の温度を検知する選択酸化器温度検知器をさらに備え、
前記制御器は、前記試運転モードもしくは前記メンテナンスモードでの起動時において、前記選択酸化器の温度が第５温度以上となった場合又は前記燃焼器の燃焼開始から第３時
間経過した場合には、前記選択酸化器への酸素含有ガスの流量を減らすよう制御する、請求項６に記載の燃料電池システム。
【請求項８】
前記制御器は、前記試運転モードもしくは前記メンテナンスモードの起動時において、前記燃料電池に前記水素含有ガスを供給して前記燃料電池の発電を開始した後の一定時間は、前記通常運転モードでの起動時における前記燃料電池の発電開始後よりも発電負荷が低い発電を継続させる、請求項１から７のいずれか１項に記載の燃料電池システム。
【請求項９】
前記制御器は、前記試運転モードもしくは前記メンテナンスモードの起動時において、前記燃料電池に前記水素含有ガスを供給して前記燃料電池の発電を開始した後の一定時間は、発電負荷の変化速度を通常運転モードに比べて遅く制御する、請求項１から８のいずれか１項に記載の燃料電池システム。
【発明の詳細な説明】
【技術分野】
【０００１】
本発明は、水素を生成する改質器を用いた燃料電池システムに関する。より詳しくは、燃料電池システムを使用場所に設置した後の試運転モードや、交換部品を交換するなどのメンテナンスを行った後のメンテナンスモードを有する燃料電池システムに関する。
【背景技術】
【０００２】
エネルギーを有効に利用することが可能な分散型の発電装置として、燃料電池が注目されている。特に、発電する燃料電池と、燃料電池の発電時の熱や燃料電池を動かすための関連デバイスからの排熱を回収して温水などとして利用する排熱利用装置とを組み合わせた燃料電池システムとして実用化され、発電効率とエネルギーの総合利用効率が高い商品として、一般の家庭での発電と給湯、暖房を実現している。
【０００３】
ここで、発電装置である燃料電池には、リン酸型燃料電池、溶融炭酸塩型燃料電池、アルカリ水溶液型燃料電池、固体高分子型燃料電池、固体電解質型燃料電池等の種類があるが、一般家庭での使用に対しては、各家庭での使用電力負荷が変動するため、変動する使用電力に応じて発電を行い不要時には運転を停止するようにすれば、必要時だけ必要な量を発電することができ、機器のエネルギー効率を高めることが可能となる。
【０００４】
そのため、一般家庭では、動作温度が低くて起動停止を容易にすることができる固体高分子型燃料電池が、一般に用いられる。
【０００５】
ここで、固体高分子型燃料電池で使用する水素含有ガス中にＣＯが含まれていると、燃料電池内のアノード電極部の触媒が被毒されて、発電することができなくなる可能性がある。したがって、燃料電池システム内で水素を生成する改質器からの水素を含む生成ガス中のＣＯの濃度は、ｐｐｍオーダー（一般的には１０ｐｐｍ以下）とする必要がある。
【０００６】
改質器での水素を生成する方法の一つとしては、都市ガスやＬＰＧなどの炭化水素系燃料の原料ガスと供給した水とを用いて反応させる水蒸気改質反応がある。
【０００７】
水蒸気改質反応では、原料ガスと水蒸気とを６００℃〜７００℃の高温の改質触媒上で反応させ、Ｈ２をはじめとして、ＣＨ４、ＣＯ、ＣＯ２やＨ２Ｏなどが混合した改質ガスを生成する。
【０００８】
改質ガス中には高濃度のＣＯが含まれるため、一般的には、変成触媒を用いたシフト反応と、シフト反応後の変成後ガスに酸素を混合して選択酸化触媒を用いた選択酸化反応とにより、一酸化炭素を１０ｐｐｍ以下の低濃度に低減している。
【０００９】
改質器は、これらの反応が適正に行われるように、各触媒の温度やガスの流れが最適となるように構成して、温度や流れを制御することで、安定したＨ２の生成とＣＯの低減を実現する装置である。
【００１０】
その中で、一般家庭で使用する燃料電池システムで用いる改質器としては、小型で高効率、低コストで高耐久なものが求められて、さらには、燃料電池システムを使用場所に設置した後や部品の交換などのメンテナンスが行われた後に、燃料電池システムの運転状態の確認を短時間で効率的に行う作業性の向上が求められている。
【００１１】
ここで、従来の技術では、改質器の起動時には、加熱部からの熱で改質部の温度を予め
上昇させ、温度検知部により各部が必要な温度まで昇温したことを確認した後、原料や水の供給を開始したり、また別の温度検知部の温度が所定値となれば、改質器が水素の生成やＣＯの低減ができて正常運転状態となっていると判断していた（例えば、特許文献１参照）。
【先行技術文献】
【特許文献】
【００１２】
【特許文献１】特開２００１−１８０９０６号公報
【発明の概要】
【発明が解決しようとする課題】
【００１３】
しかし、従来の技術では、改質器の使用期間（例えば１０年〜２０年）中、触媒の性能が低下しないように運転する必要がある。一般に触媒は、温度が高すぎても低すぎても原料や水の供給により触媒性能が低下する可能性がある。したがって、原料や水を供給し始める時の温度を使用期間中、触媒性能が低下しない問題のない所定温度として設定している。
【００１４】
この所定温度を低く設定すると、改質器内に温度の低い箇所が存在し、水を供給した時に、水が蒸発し切れなかったり、一旦蒸発してできた水蒸気が温度の低い箇所で結露して水となったりすることで、触媒が水濡れして性能の低下を引き起こしてしまう可能性がある。
【００１５】
したがって、所定温度は水濡れなどの不具合が起こらないある程度高い温度として設定する必要がある。しかし、ある程度高い温度を所定温度として設定すると、その温度まで加熱するために時間を要することになり、改質器の起動時には、ある一定の起動時間が必要となる。
【００１６】
ところで、燃料電池システムは、使用場所に設置したときや部品を交換したメンテナンス時などには、燃料電池システムとして運転できるかを確認するため試運転を行う必要がある。この時にも改質器を起動させるので、上記のある一定の起動時間が必要となってしまう。
【００１７】
試運転は燃料電池システムを使う使用者ではなく、燃料電池システムの設置やメンテナンスを行った業者が行い、運転状態の確認が終了した後に、使用者に引き渡すのが一般的である。
【００１８】
したがって、業者は試運転時には改質器の起動が完了するまでのある一定時間待っている必要がある。試運転は通常問題なく運転できることの確認が目的であり、その間は特に作業等の必要がないため、試運転をできるだけ短い時間で終了することができれば、業者の待ち時間が短くなり、作業コストを低減することができる。
【００１９】
本発明は、上記課題を鑑みてなされたものであり、燃料電池システムの試運転時の改質器の起動をできるだけ短くするものである。
【課題を解決するための手段】
【００２０】
上記従来の課題を解決するために、本発明の燃料電池システムは、試運転モードもしくはメンテナンスモードでの起動時には、改質器への水供給開始後の改質器に供給する原料流量を、通常運転モードの場合に比べて増加させるのである。
【００２１】
試運転モードもしくはメンテナンスモードで起動することにより、改質器への水供給開
始後の燃焼器に供給される原料流量が増加することで、改質器の昇温が速くなり、改質器の起動時間が短縮されて、燃料電池システムの動作確認に必要な時間が短くなり、燃料電池システム設置時やメンテナンス時の作業時間の短縮が実現できる。
【発明の効果】
【００２２】
本発明の燃料電池システムは、試運転モードもしくはメンテナンスモードで起動することにより、改質器の起動時間を通常の運転時に比べて短くすることができる。そのため、機器動作確認を行う作業時間を短くすることができ、作業費用の削減や、作業費用を含めた燃料電池システムのコスト削減を実現することができる。
【図面の簡単な説明】
【００２３】
【図１】本発明の実施の形態１における燃料電池システムの概略構成図
【図２】本発明の実施の形態１の燃料電池システムの改質器の起動状態を説明するための説明図
【図３】本発明の実施の形態２の燃料電池システムの改質器の起動状態を説明するための説明図
【図４】本発明の実施の形態３の燃料電池システムの改質器の起動状態を説明するための説明図
【図５】本発明の実施の形態４における燃料電池システムの概略構成図
【図６】本発明の実施の形態４の燃料電池システムの改質器の起動状態を説明するための説明図
【図７】本発明の実施の形態４の燃料電池システムの改質器の起動状態を説明するための説明図
【図８】本発明の実施の形態５における燃料電池システムの概略構成図
【図９】本発明の実施の形態５の燃料電池システムの改質器の起動状態を説明するための説明図
【図１０】本発明の実施の形態５の燃料電池システムの改質器の起動状態を説明するための説明図
【発明を実施するための形態】
【００２４】
第１の発明は、炭化水素を含む原料を水蒸気改質して水素含有ガスを生成する改質器と、改質器に原料を供給する原料供給器と、改質器に水を供給する水供給器と、酸化剤を供給する酸化剤供給装置と、改質器により生成された水素含有ガス及び酸化剤供給装置により供給された酸化剤を用いて発電する燃料電池と、改質器を経由した原料及び水素含有ガスの少なくとも一方または燃料電池で未利用の水素含有ガスを含むオフガスを燃焼して改質器を加熱する燃焼器と、燃焼器に燃焼用空気を供給する燃焼用空気供給器と、改質器の温度を検知する改質器温度検知器と、制御器と、を備える燃料電池システムであって、通常運転用の運転モードである通常運転モードと、燃料電池システムの設置後の最初の機器動作確認用の運転モードである試運転モードもしくはメンテナンス後の機器動作確認用の運転モードであるメンテナンスモードとを有し、制御器が、試運転モードもしくはメンテナンスモードでの起動時には、改質器への水供給を開始した後に、改質器に供給する原料流量を通常運転モードの場合に比べて増加させる燃料電池システムである。
【００２５】
上記構成とすることで、試運転モードもしくはメンテナンスモードでの起動時には、改質器への水供給開始後の燃焼器に供給される原料流量が増加することで、改質器の昇温が速くなり、改質器の起動時間が短縮されて、燃料電池システムの動作確認に必要な時間が短くなり、燃料電池システム設置時やメンテナンス時の作業時間の短縮が実現できる。
【００２６】
第２の発明は、特に第１の発明において、制御器が、通常運転モードでの起動時には、改質器の温度が予め設定される第１温度以上になると燃料電池への水素含有ガスの供給を
開始し、試運転モードもしくはメンテナンスモードでの起動時には、改質器の温度が第１温度よりも低い予め設定される第２温度以上になると燃料電池への水素含有ガスの供給を開始するものである。
【００２７】
これにより、原料ガスを増加させた状態において燃料電池へ水素を供給する時の改質器の温度を低減するので、燃料電池へ供給する水素量を確保することができる。言い換えると、原料流量を通常より増加させているため改質器の温度が低くても所定の水素量を生成することが可能となるため、燃料電池へ水素含有ガスの供給を開始する改質器の温度を通常より下げることで、より改質器の起動時間を短くすることができ、燃料電池システムの起動時間を短くすることができる。
【００２８】
第３の発明は、特に第１の発明または第２の発明において、制御器が、試運転モードもしくはメンテナンスモードでの起動時において、改質器に供給する原料流量を通常運転モードの場合に比べて増加させた後に、改質器の温度が予め設定される所定の第３温度以上となった場合または燃焼器の燃焼開始から所定の第１時間経過した場合には、改質器に供給する原料流量を減少させるものであって、原料流量の増加により一時的に通常時よりも高温化する可能性がある箇所の温度上昇を抑え、使用期間中の改質器へのダメージを抑えた状態で起動時間を短縮するものである。
【００２９】
これにより、改質器全体の温度が上昇した後の全体の温度の安定化をはかる段階では原料流量を少なくして改質器の局所的な過昇温を抑えることで、改質器の耐久性への影響をなくしながら起動時間を短くすることができる。
【００３０】
第４の発明は、特に第１から第３のいすれかの発明において、制御器が、試運転モードもしくはメンテナンスモードでの起動時には、通常運転モードでの起動時に対して改質器への水を減少させて供給するものであって、水を供給する量を少なくして、改質触媒での反応時の吸熱量を少なくすることで、改質触媒の温度上昇を速くし、改質器の起動時間を短くするものである。
【００３１】
これにより、試運転モードもしくはメンテナンスモードでの起動時には、水の供給量を少なくすることで、改質器での改質反応を抑制して改質器の昇温速度を速くし、改質器の起動時間の短縮により燃料電池システムの起動時間を通常より短くすることができる。
【００３２】
第５の発明は、特に、第４の発明において、改質器により生成された水素含有ガス中の一酸化炭素を低減するＣＯ低減器と、ＣＯ低減器の温度を検知するＣＯ低減器温度検知器とをさらに備え、制御器が、試運転モードもしくはメンテナンスモードでの起動時において、ＣＯ低減器の温度が第４温度以上になった場合又は燃焼器の燃焼開始から第２時間経過した場合には、改質器への水の流量を増やすよう制御するものである。
【００３３】
これにより、水の量を少なくすることで改質器の短時間での昇温を確保した後、水の量を増やすことで改質反応により燃料電池での発電に必要な水素量を確保した状態で改質器から燃料電池に生成ガスを供給することができ、燃料電池システムでの安定した発電が実現できる。
【００３４】
第６の発明は、特に第１から第５のいずれかの発明において、改質器により生成された水素含有ガス中の一酸化炭素を酸化反応により低減する選択酸化器と、選択酸化器に酸素含有ガスを供給する酸素含有ガス供給器とをさらに備え、制御器は試運転モードもしくはメンテナンスモードでの起動時には通常運転モードでの起動時に対して選択酸化器へ酸素含有ガスを増やして供給するものである
これにより、改質器内の選択酸化器の酸素含有ガスの供給量を多くすることで酸化反応
熱量を増加させ、選択酸化器の昇温を速くして、改質器の起動時間を短くすることができる。
【００３５】
第７の発明は、特に第６の発明において、選択酸化器の温度を検知する選択酸化器温度検知器をさらに備え、制御器は試運転モードもしくはメンテナンスモードでの起動時において、選択酸化器の温度が第５温度以上となった場合又は燃焼器の燃焼開始から第３時間経過した場合には選択酸化器への酸素含有ガスの流量を減らすよう制御するものである。
【００３６】
これにより、酸素含有ガスの供給量増加による改質器の短時間での昇温を確保した後、酸素含有ガスの供給量を減らすことで酸素含有ガスによる水素の酸化反応による減少量を少なくして燃料電池での発電に必要な水素量を確保し、改質器から燃料電池に生成ガスを供給することで燃料電池システムでの安定した発電を実現することができる。
【００３７】
第８の発明は、特に第１から第７のいずれかの発明において、制御器は試運転モードもしくはメンテナンスモードの起動時において、燃料電池に水素含有ガスを供給して燃料電池の発電を開始した後の一定時間は、通常運転モードでの起動時における燃料電池の発電開始後よりも発電負荷が低い発電を継続させるものである。
【００３８】
これによって、通常の起動とは異なった改質器の温度バランス状態での発電開始に対して、一定時間は発電負荷が低い発電を行うことで、改質器の温度バランスを通常状態に戻し、その後の安定した発電を実現することができる。
【００３９】
第９の発明は、特に、第１から第８の発明において、制御器は試運転モードもしくはメンテナンスモードの起動時において、燃料電池に水素含有ガスを供給して燃料電池の発電を開始した後の一定時間は、発電負荷の変化速度を通常運転モードに比べて遅く制御するものである。
【００４０】
これによって、通常の起動とは異なった改質器の温度バランス状態での発電開始に対して、熱バランスのずれにより改質器の特性が乱れやすい発電負荷の変化を小さく抑えることで改質器の特性を確保しながら、時間の経過により改質器の温度バランスを通常状態に戻し、その後の安定した発電を実現することができる。
【００４１】
以下、本発明の実施の形態について、図面を参照しながら説明する。なお、本実施の形態によって本発明が限定されるものではない。
【００４２】
（実施の形態１）
図１は、本発明の実施の形態における燃料電池システムの概略構成図を示したものである。
【００４３】
図１において、改質器１には、原料を供給する原料供給器２と、水を供給する水供給器３が接続されており、改質器１内にある改質触媒（図示せず）に原料と水が供給されて、改質触媒による改質反応により生成した水素を含んだ生成ガスを改質器１から送出する。また、改質器１には、改質器１を加熱する燃焼器６と、改質器の温度を検知する改質器温度検知器８が設置されている。
【００４４】
改質器１から送出される生成ガスは、燃料電池システムで発電を開始するまでの起動時には、切り替えバルブ１０により燃焼器６に供給され、燃料電池システムで発電を行っている時には、切り替えバルブ１０により改質器１からの生成ガスが燃料電池５に供給されて、燃料電池５からのオフガス（発電で使用した後のガス）として燃焼器６に供給される構成となっている。
【００４５】
燃焼器６には、燃焼用空気供給器７が接続されており、改質器１からの生成ガスや燃料電池５からのオフガスを燃焼させる構成となっている。燃料電池５では改質器１からの生成ガスと酸化剤供給装置４から供給された酸化剤により発電を行う。
【００４６】
原料供給器２、水供給器３、酸化剤供給装置４、燃料電池５、燃焼用空気供給器７、改質器温度検知器８、切り替えバルブ１０は、制御器９に電気的に接続され、改質器温度検知器８の情報などを基に、各部の動作をコントロールして各流量や発電状態などを制御器９で制御することで燃料電池システムとして安定して運転できるように構成されている。
【００４７】
ここで、原料供給器２や水供給器３、酸化剤供給装置４、燃焼用空気供給器７は、各々の供給物（原料、水、酸化剤、空気）の流量が調整可能に構成されており、供給物の吐出流量が変更可能な供給ポンプで構成されても良く、また供給物の供給源と下流側の流路に設けられた供給物の流量調整用バルブとを組み合わせた流体調整機構であっても良い。
【００４８】
改質触媒には、Ｐｔ、Ｒｕ、Ｒｈなどの貴金属や、Ｎｉなどの卑金属などを含むものが一般的に用いられる。また、原料や燃料としては、都市ガスやＬＰＧなどの炭化水素系燃料を使用することができる。
【００４９】
次に、以上のように構成された本実施の形態の燃料電池システムにおいて、以下、その起動時の改質器動作について説明する。
【００５０】
燃料電池システムで発電を行うためには、改質器１で水素を安定的につくれる状態とした上で、燃料電池５に改質器１から水素を含んだ生成ガスを供給する必要がある。改質器１で水素を安定的につくるためには、改質器１全体を昇温させて水の蒸発や触媒の反応できる温度状態を確保する必要がある。
【００５１】
そのために、改質器１の起動時には、原料供給器２から原料を改質器１に供給する。改質器１内部を通った原料は改質器１出口から送出される。起動時には切り替えバルブ１０により改質器１からのガスは、燃焼器６に供給され、燃焼用空気供給器７からの空気と混合して、火炎を形成し改質器１を加熱する。
【００５２】
そして、制御器９が、改質器温度検知器８により改質器１が基準温度（例えば、３００℃）となったことを検知すれば、水供給器３から水の供給を開始する。供給された水は、改質器１内で水蒸気となり、原料ガスと混合されて改質触媒に供給される。改質触媒では水蒸気と原料ガスとの混合ガスが改質反応により水素やＣＯ２、ＣＯなどを含んだ改質ガスとなる。
【００５３】
図１には記載していないが、通常、改質触媒からの改質ガスは、変成触媒や選択酸化触媒などを通過して変成反応や選択酸化反応によりＣＯ濃度の低減を行い、生成ガスとして改質器１から送出する。生成ガス中の水素量が安定し、ＣＯの濃度もｐｐｍオーダーまで低減すれば、切り替えバルブ１０により改質器１からの生成ガスを燃料電池５に供給し、酸化剤供給装置４からの酸化剤の供給とにより燃料電池５での発電を実現している。
【００５４】
このような起動動作により改質器１を起動させて発電を行うためには、起動時間として７００Ｗ級の家庭用燃料電池システムでは約１時間要することがある。この１時間のほとんどが、改質器１を昇温させる時間、つまり改質器１の起動時間となっている。
【００５５】
燃料電池システムを設置して使用する通常使用の場合には、前回の運転停止後直ぐに運転を再開させたときなどには改質器１があまり温度が下がっておらず、短時間（１０分や
２０分など）で発電できることになる。
【００５６】
しかしながら、燃料電池システムを設置した直後や燃料電池システムを停止して部品の交換などを行うメンテナンス後には、燃料電池システム全体の温度は、周囲の温度まで下がっており、改質器１の温度も周囲と同じ温度となっている。そのため、その状態から改質器１を水素を安定して生成する温度まで昇温させるためには、１時間近くかかってしまう。
【００５７】
一方、燃料電池システム設置時やメンテナンスを行った後には、燃料電池システムが問題なく発電できていることを確認した上で、設置やメンテナンスの作業を終了する必要がある。そのため、１時間近くかけて燃料電池システムの起動から発電までの運転を行わなければならない。この確認するために必要な起動時間を少しでも短くできれば、その分確認する作業費用が削減でき、燃料電池システムの価格の低減にも繋げることができる。
【００５８】
そこで、本実施の形態１では、燃料電池システムを設置した時の試運転モードや燃料電池システムの部品を交換した時のメンテナンスモードでは、水供給器３から水の供給を開始した後の原料供給器２からの原料流量を通常運転時に比べて増加させている。
【００５９】
図２は、通常運転時の改質器１の起動状態と、本実施の形態１の起動状態を示したものである。通常の起動では、原料供給器２から原料流量をＧ０供給して燃焼器６で燃焼させて改質器１を加熱し、途中から水供給器３から水をＷ０供給することで、改質器１を昇温させる。
【００６０】
そして、制御器９が、改質器１が水素が安定に生成できている状態を改質器温度検知器８の温度Ｔ０で確認すると、起動完了と判断して燃料電池５に改質器１からの生成ガスを燃料電池５に供給している。したがって、燃料電池システムの起動時間としてｔ０の時間を要することになる。
【００６１】
これに対し、試運転モードまたはメンテナンスモードの起動では、水の供給を開始した後、原料流量をＧ０からＧ１に増加させている。この場合、改質器温度検知器８の温度がＴ０となるのはｔ１の時間となり、通常の起動に対して、「ｔ０−ｔ１」の時間だけ起動時間が短くなっている。
【００６２】
これは、水供給器３から水を供給し始めると改質触媒では改質反応を開始し、改質器１からは水素を含んだ生成ガスが燃焼器６に供給されるが、この時に原料供給器２からの原料流量をＧ０からＧ１に増加させると、改質器１からの生成ガスのガス流量が増加し、燃焼器６での燃焼量が増加する。
【００６３】
燃焼器６での燃焼量が増加すれば、改質器１はその増加した燃焼熱で加熱されるので、改質器１の昇温速度が速くなり、短時間で必要な温度に到達するため起動時間が短くなっている。
【００６４】
ここで、水供給器３から水の供給を開始した後に原料量を増加させているのは、水を供給するまでは通常と同じように加熱する事で改質器１全体の温度を昇温させ、水を供給したときに水が安定して蒸発できる温度状態を確保するためである。
【００６５】
水を供給する前から原料の供給量を増加させると、改質器温度検知器８の温度上昇は速くなるが、通常起動に対して改質器１全体の熱バランスが崩れ、改質器１の一部の温度は十分昇温できていない箇所が存在し、水供給時に安定した蒸発が確保できない可能性があるためである。よって、水供給時の水蒸発の安定性を確保した後、原料流量を増加させて
いる。
【００６６】
以上のように、本実施の形態では、試運転モードやメンテナンスモードの起動時には、通常の起動に対して水を供給した後に原料の供給量を増加させることで、改質器１の起動時間を短縮し、燃料電池システムとしての起動時間を短くすることで設置時やメンテナンス時の作業性の向上を図っている。
【００６７】
（実施の形態２）
本発明の実施の形態２では、実施の形態１と同様の起動動作において燃料電池５に改質器１からの水素含有の生成ガスを供給し始めるタイミングが異なっている。以下に異なる箇所のみを説明する。図３は、実施の形態２の改質器の起動状態を説明するための説明図である。
【００６８】
実施の形態１では、改質器温度検知器８の検知する温度がＴ０となれば改質器１からの生成ガスを切り替えバルブ１０を操作することで燃料電池５に供給し、酸化剤供給装置４からの酸化剤の供給も開始することで燃料電池５での発電を開始していたが、本実施の形態では、改質器温度検知器８の温度が通常のＴ０より低いＴ１となった時に改質器１からの生成ガスを燃料電池５への供給を開始する。
【００６９】
ここで、改質器温度検知器８は、改質器１の温度状態を代表して捉えることができる箇所に設置する必要があり、改質器の主反応である改質反応により水素生成を行う改質触媒の温度を捉えるのが一般的である。
【００７０】
ここで、改質触媒では、反応式「ＣＨ４＋２Ｈ２Ｏ→４Ｈ２＋ＣＯ２」に代表される水蒸気改質反応により水素を生成するが、この反応は、触媒の温度が高いほど水素が生成する方向に反応が進み生成する水素量が増加する。
【００７１】
よって、改質器温度検知器８の検知する温度が通常より低ければ、改質触媒での水素生成の反応性が低くなり水素量が低くなるが、本実施の形態では、起動時の水供給開始後に原料供給器２からの原料流量をＧ０からＧ１に増加させているため、改質触媒での反応に関わる原料流量が多く、触媒の反応性が多少低くても、生成される水素は必要量確保することが可能となる。
【００７２】
したがって、改質器１から改質器温度検知器８がＴ０より低いＴ１を検知した時に燃料電池５に生成ガスを供給しても、燃料電池５に供給される水素量は、通常の起動時と同様の必要な水素量が確保できており、安定して発電を開始することができる。よって、通常よりも起動時間を「ｔ０−ｔ２」、実施の形態１に対しても「ｔ１−ｔ２」短くすることができる。
【００７３】
（実施の形態３）
本発明の実施の形態３では、実施の形態１や実施の形態２において、原料流量を増加させた後に原料流量を下げるものであり、実施の形態１、２と異なる箇所のみを説明する。図４は、実施の形態３の改質器の起動状態を説明するための説明図である。
【００７４】
実施の形態１や実施の形態２と同様に、改質水を供給した後に原料流量を通常のＧ０からＧ１に増加させた後に、本実施の形態では原料流量をＧ０に減少させている。原料流量をＧ１と通常よりも多くの流量とすることで改質器１全体の温度の上昇速度が速くなる。
【００７５】
改質器温度検知器８の検知する改質器１の温度は、実際に捉えられ基準値のＴ０であることがわかるが、その他の箇所は通常の起動時とは異なった温度上昇により通常とは異な
る温度状態となる箇所もでてくる。
【００７６】
ところで、改質器１内の触媒や改質器１を構成している構造体は、一般に、温度が高くなるに従って、触媒の耐久性や構造体に使用されている金属部材へのダメージがかかる傾向にある。また、燃料電池システムとしての使用期間（例えば１０年〜２０年）の最後でも所定の商品としての性能と安全性が十分確保できるように、通常の起動条件は設定されている。
【００７７】
それに対して、改質器１の各部の温度が高い側にずれる状態となると、多少なりとも触媒や構造体にかかるダメージが増える可能性がでてくる。
【００７８】
よって、このダメージが少しでも生じないようにするために、原料流量をＧ１に増加させて起動時間の短縮が確保されれば、原料流量をＧ０に減らすことで通常の温度状態に対して改質器１全体で温度状態の高温化を抑制することができるので、改質器１の耐久性への影響を抑制した状態で燃料電池システムの起動時間の短縮を実現することができる。
【００７９】
なお、原料流量をＧ０に下げるタイミングとしては、改質器温度検知器８がある所定の温度（図４のＴ２）となったことで判断しても、燃焼器６の燃焼時間が所定時間（図４のｔ３）となったことで判断しても良い。
【００８０】
また、上記の説明では、原料流量を通常起動時と同じＧＯまで減少させたが、ＧＯとＧ１の間の流量など他の流量としても同様の効果を得ることができる。
【００８１】
（実施の形態４）
図５は、本発明の実施の形態４における燃料電池システムの概略構成図を示したものである。実施の形態１に対して異なる箇所を説明する。
【００８２】
改質器１から送出される生成ガスはＣＯ低減器１１に供給され、ＣＯ低減器１１から送出されたガスは切り替えバルブ１０により燃焼器６あるいは燃料電池５に供給される。ＣＯ低減器１１にはＣＯ低減触媒が搭載され（図示せず）、生成ガス中のＣＯを低減し、ＣＯ値の少ない生成ガスとしてＣＯ低減器１１より送出することができる。
【００８３】
また、ＣＯ低減器１１にはＣＯ低減器１１の温度を検知するＣＯ低減器温度検知器１２を備え、制御器９に電気的にＣＯ低減器温度検知器１２を接続することで、ＣＯ低減器温度検知器１２の情報も用いて燃料電池システムを運転することができるように構成されている。ＣＯ低減触媒としては、Ｐｔなどの貴金属やＦｅ−ＣｒやＣｕ−Ｚｎなどを含むものが用いられる。
【００８４】
次に、本実施の形態の動作を説明する。図６は本実施の形態の改質器１の起動状態を説明するための説明図である。
【００８５】
実施の形態１と同様、試運転やメンテナンスモードの起動時には、原料供給器２から原料供給がされている状態で、水供給器３より水を供給するが、そのときの水の量を通常の起動時のＷ０に対してＷ１と減少させている。その後、原料供給器２からの原料供給量をＧ０からＧ１に増加させることで、改質器温度検知器８の温度がＴ０となる時間を通常の起動のｔ０からｔ５へと短くすることができる。
【００８６】
水供給器３からの水の供給量を通常時のＷ０からＷ１へ少なくすると、改質器１内の改質触媒へ供給される水蒸気量が低減する。改質触媒での改質反応は水蒸気量が少なければ反応性が低下するが、改質反応は吸熱反応であるため反応性が低下すると吸熱量も低下す
る。
【００８７】
吸熱量が低下すると燃焼器６からの熱は改質器１の昇温より多く使われ、改質器１の温度上昇を速め、改質器温度検知器８の昇温速度を速くすることができるので、改質器温度検知器８がＴ０となる時間が短くなり、燃料電池システムの起動時間を短縮することができる。
【００８８】
図７は、本実施の形態でＣＯ低減器温度検知器１２の温度を検知し、ＣＯ低減器温度検知器１２の温度がＴ３となった時に水供給器３からの水の量をＷ１からＷ０に増加させた時の起動状態を説明するための説明図である。
【００８９】
水供給器３からの水の供給量を低減することで、改質器１の昇温は速くなるが、水が少ない分、改質触媒が同じ温度状態では通常の起動に対して生成水素量は少なくなる。そこで、水量を減らして起動時間の短縮を確保した後、水量を増加させることで燃料電池５に接続に行く前に生成ガス中の水素量を増やすことができ、起動時間を通常のｔ０からｔ７へと短縮しながら、燃料電池５での安定した発電を実現することができる。
【００９０】
ここで、水の供給量を増やすタイミングとしては、ＣＯ低減器温度検知器１２の検知温度が予め決まった第４温度であるＴ３となった時や、燃焼器６の燃焼開始後の時間が第３時間であるｔ６となった時とすることができる。また、上記説明では、増加させた水の供給量を通常起動時のＷ０としたが、Ｗ０とＷ１の間の流量など他の流量としても同様の効果が得られる。
【００９１】
（実施の形態５）
図８は、本発明の実施の形態における燃料電池システムの概略構成図を示したものである。実施の形態１に対して異なる箇所を説明する。
【００９２】
改質器１から送出される生成ガスは選択酸化器１３に供給され、選択酸化器１３から送出されたガスは切り替えバルブ１０により燃焼器６あるいは燃料電池５に供給される。選択酸化器１３には、酸素含有ガス供給器１４が接続され酸素含有ガスを改質器１からの生成ガスに供給できるようになっている。
【００９３】
また、選択酸化器１３には選択酸化触媒（図示せず）が搭載され、生成ガス中のＣＯは酸素含有ガス供給器１４からの酸素含有ガスにより酸化反応して、ｐｐｍオーダーのＣＯ濃度に低減される。さらに選択酸化器温度検知器１５も備えられ、選択酸化器１３の温度を捉えて電気的に接続された制御器９により燃料電池システム全体が制御できるように構成されている。選択酸化触媒には、Ｐｔ、Ｒｕ、Ｒｈなどを含むものが用いられる。
【００９４】
次に、本実施の形態の動作を説明する。図９は本実施の形態の改質器の起動状態を説明するための説明図である。
【００９５】
実施の形態１と同様、試運転やメンテナンスモードの起動時には、原料供給器２から原料供給がされている状態で水供給器３より水を供給し、その後に原料供給器２からの原料流量を増加させ、酸素含有ガス供給器１４から酸素含有ガスを供給することで選択酸化器での選択酸化触媒によるＣＯの酸化反応を行い、選択酸化器１３からの生成ガス中のＣＯ濃度をｐｐｍオーダーにまで低減する。
【００９６】
本実施の形態では、この酸素含有ガス供給器１４から供給する酸素含有ガスの流量を通常の起動時のＰ０に比べてＰ１と増加させている。酸素含有ガスの流量を通常の起動時よりも増加させることで、選択酸化触媒に供給される酸素量が増加し、選択酸化触媒では供
給された酸素量に応じた発熱反応が生じる。
【００９７】
つまり、改質器１からの生成ガス中には、ＣＯだけでなく水素も存在するため、供給された酸素でＣＯを全て酸化反応させても残った酸素で水素を酸化反応させることになり、供給された酸素に応じて発熱量が決まる。
【００９８】
よって、酸素含有ガスの流量を増加させると、選択酸化器１３の昇温は速まり、また選択酸化器１３の温度上昇の影響を受けて改質器１の昇温性も高くなり、改質器温度検知器８がＴ０となる時間が速くなる。従って、燃料電池システムの起動時間を通常のｔ０からｔ８への短縮を実現することができる。
【００９９】
図１０は、本実施の形態で選択酸化器温度検知器１５の温度を検知し、選択酸化器温度検知器１５の温度がＴ４となった時に酸素含有ガス供給器１４からの酸素含有ガスの供給量をＰ１からＰ０に減少させた時の起動状態を説明するための説明図である。
【０１００】
酸素含有ガス供給器１４からの酸素含有ガスの供給量を増加させることで、選択酸化器１３や改質器１の昇温は速くなるが、選択酸化器１３に供給される酸素量が多い分、選択酸化器１３での水素の酸化反応よる水素量の低減が多くなり、通常の起動に対して生成ガス中の水素量が少なくなる。
【０１０１】
そこで、酸素含有ガスの供給量を増やして起動時間の短縮を確保した後、酸素含有ガスの供給量を減少させることで燃料電池５に接続に行く前に生成ガス中の水素量を通常状態とすることができ、起動時間を通常のｔ０からｔ１０へと短縮しながら燃料電池５での安定した発電を実現することができる。
【０１０２】
ここで、酸素含有ガスの供給量を減らすタイミングとしては、選択酸化器１３の温度が予め決まった第５温度であるＴ４となった時や、燃焼器６の燃焼開始後の時間が第４時間であるｔ９となった時とすることができる。また、上記説明では、減少させた酸素含有ガスの流量を通常起動時のＰ０としたが、Ｐ０とＰ１の間の流量など他の流量としても同様の効果を得ることができる。
【０１０３】
なお、実施の形態１から５に対して、通常の起動時に対して、発電開始時の改質器１の温度バランスが多少異なっている可能性がある。そこで、燃料電池５での発電開始直後の一定時間は通常の発電負荷に対して低く設定して運転すれば、この一定時間の間に改質器１全体の熱バランスは通常の状態に整えられる。
【０１０４】
改質器１は発電負荷が小さい方が、生成する必要のある水素量が少なくて供給される原料流量や水の量が少なく、改質器１の熱バランスが多少ずれていても改質器１の特性を発揮することができる。よって、この発電負荷を小さい状態で発電を維持しながら、改質器１の熱バランスが整うのを待つことができる。実際の設定としては、例えば、発電開始後１時間は、発電量を定格発電（７００Ｗ）の半分（３５０Ｗ）以下などとすればよい。
【０１０５】
また、改質器１の特性が悪化しやすい運転として、発電負荷を変化速度を大きく運転した時があるが、上記実施の形態１から５の構成において、通常の起動時に対する改質器１の温度バランスのずれが整うまで、発電開始後の一定時間は発電負荷の変化速度を通常より小さく設定して運転すれば、この一定時間の間に改質器１全体の熱バランスは通常の状態に整えられる。
【０１０６】
実際の設定としては、例えば、発電開始後１時間は、発電負荷の変化速度を通常（１Ｗ／ｓ）の半分（０．５Ｗ／ｓ）以下などとすればよい。
【０１０７】
さらに、実施の形態１から５の構成において、起動時の改質器１の温度状態が、通常よりずれて、通常よりも改質器１の触媒や構造体への影響が生じる可能性もある。しかし、試運転やメンテナンスが行われるのは、その燃料電池システムの使用期間中で多くても数回程度である。一方、使用期間中に行われる通常の起動は数千回であり、この数千回の運転での使用に対して十分に耐久性を有するものとして改質器１は設計されている。
【０１０８】
したがって、通常より多少温度がずれた状態で数回運転したとしても、そのダメージは余裕を持った数千回の起動に対しての設定内でカバーできるものである。
【産業上の利用可能性】
【０１０９】
以上のように、本発明の燃料電池システムは、試運転やメンテナンスの起動時に、通常運転時より短い時間で起動させて試運転やメンテナンスにかかる時間を短縮できるので、機器の設置やメンテナンスを必要とする改質器を有する燃料電池システム、例えば、家庭用の燃料電池システム等に最適である。
【符号の説明】
【０１１０】
１  改質器
２  原料供給器
３  水供給器
４  酸化剤供給装置
５  燃料電池
６  燃焼器
７  燃焼用空気供給器
８  改質器温度検知器
９  制御器
１０  切り替えバルブ
１１  ＣＯ低減器
１２  ＣＯ低減器温度検知器
１３  選択酸化器
１４  酸素含有ガス供給器
１５  選択酸化器温度検知器
【図１】
2016177919.tif 000003
【図２】
2016177919.tif 000004
【図３】
2016177919.tif 000005
【図４】
2016177919.tif 000006
【図５】
2016177919.tif 000007
【図６】
2016177919.tif 000008
【図７】
2016177919.tif 000009
【図８】
2016177919.tif 000010
【図９】
2016177919.tif 000011
【図１０】
2016177919.tif 000012